【手続補正書】
【提出日】平成16年4月21日(2004.4.21)
【手続補正１】
【補正対象書類名】明細書
【補正対象項目名】特許請求の範囲
【補正方法】変更
【補正の内容】
【特許請求の範囲】
【請求項１】
通信を確立するための通信設定情報を保持する第１の情報処理装置、および前記第１の情報処理装置から前記通信設定情報を取得し、前記通信を確立する第２の情報処理装置により構成される通信システムにおいて、
前記第１の情報処理装置は、
前記第２の情報処理装置に、前記通信設定情報を提供する提供手段と、
前記第２の情報処理装置と通信する第１の通信手段と
を備え、
前記第２の情報処理装置は、
前記第１の情報処理装置より、前記通信設定情報を取得する取得手段と、
前記取得手段により取得された前記通信設定情報に基づいて、前記第１の情報処理装置と通信する第２の通信手段と
を備え、
前記通信設定情報は、前記通信設定情報を取得した前記第２の情報処理装置の、前記通信設定情報の保持の可否を示す情報を含み、かつ、前記通信設定情報を取得した前記第２の情報処理装置の、前記第２の情報処理装置とは異なる第３の情報処理装置への、前記通信設定情報の提供の可否を示す情報を含む
ことを特徴とする通信システム。
【請求項２】
第１の他の情報処理装置に、通信を確立するための通信設定情報を提供する提供手段と、
前記第１の他の情報処理装置と通信する第１の通信手段と
を備え、
前記通信設定情報は、前記通信設定情報を取得した前記第１の他の情報処理装置の、前記通信設定情報の保持の可否を示す情報を含み、かつ、前記通信設定情報を取得した前記第１の他の情報処理装置の、前記第１の他の情報処理装置とは異なる第２の他の情報処理装置への、前記通信設定情報の提供の可否を示す情報を含む
ことを特徴とする情報処理装置。
【請求項３】
前記第１の通信手段は、無線により前記第１の他の情報処理装置と通信する
ことを特徴とする請求項２に記載の情報処理装置。
【請求項４】
前記通信設定情報を記憶する記憶手段をさらに備え、
前記提供手段は、前記記憶手段により記憶された前記通信設定情報を読み出して、前記第１の他の情報処理装置に提供する
ことを特徴とする請求項２に記載の情報処理装置。
【請求項５】
前記提供手段は、前記通信設定情報を記録媒体に記録する記録手段を備え、
前記第１の他の情報処理装置は、前記記録媒体より、前記通信設定情報を読み出して利用する
ことを特徴とする請求項２に記載の情報処理装置。
【請求項６】
前記記録媒体は、携帯可能なカードである
ことを特徴とする請求項５に記載の情報処理装置。
【請求項７】
前記記録手段は、非接触通信により、前記記録媒体に前記通信設定情報を記録する
ことを特徴とする請求項５に記載の情報処理装置。
【請求項８】
前記記録手段は、接触通信により、前記記録媒体に前記通信設定情報を記録する
ことを特徴とする請求項５に記載の情報処理装置。
【請求項９】
前記提供手段は、前記第１の他の情報処理装置との間で、非接触の無線通信を行う第２の通信手段を備え、
前記第２の通信手段は、前記非接触の無線通信により、前記通信設定情報を前記第１の他の情報処理装置に提供する
ことを特徴とする請求項２に記載の情報処理装置。
【請求項１０】
前記提供手段は、前記第１の他の情報処理装置との間で、赤外線通信を行う第２の通信手段を備え、
前記第２の通信手段は、前記赤外線通信により、前記通信設定情報を前記第１の他の情報処理装置に提供する
ことを特徴とする請求項２に記載の情報処理装置。
【請求項１１】
前記通信設定情報は、前記通信設定情報を取得した前記第１の他の情報処理装置に、前記通信設定情報の保持を許可する期間を限定する情報有効期間の情報を含む
ことを特徴とする請求項２に記載の情報処理装置。
【請求項１２】
前記通信設定情報は、前記通信設定情報を取得した前記第１の他の情報処理装置に、前記通信を許可する期間を限定する通信有効期間の情報を含む
ことを特徴とする請求項２に記載の情報処理装置。
【請求項１３】
前記通信設定情報は、前記通信設定情報を取得した前記第１の他の情報処理装置が、新たに通信設定情報を取得した場合、既に取得している前記通信設定情報を、新たに取得した前記通信設定情報に更新するか否かを指定する情報を含む
ことを特徴とする請求項２に記載の情報処理装置。
【請求項１４】
前記通信設定情報は、前記通信設定情報を取得した前記第１の他の情報処理装置が、前記情報処理装置を介して、前記第１の他の情報処理装置とは異なる第２の他の情報処理装置と通信を行うための、前記第２の情報処理装置のIPアドレスを含む
ことを特徴とする請求項２に記載の情報処理装置。
【請求項１５】
前記第１の通信手段は、前記第１の他の情報処理装置を、インターネットに接続させる
ことを特徴とする請求項２に記載の情報処理装置。
【請求項１６】
情報処理装置の情報処理方法において、
第１の他の情報処理装置に、通信を確立するための通信設定情報を提供する提供ステップと、
前記第１の他の情報処理装置と通信する通信ステップと
を含み、
前記通信設定情報は、前記通信設定情報を取得した前記第１の他の情報処理装置の、前記通信設定情報の保持の可否を示す情報を含み、かつ、前記通信設定情報を取得した前記第１の他の情報処理装置の、前記第１の他の情報処理装置とは異なる第２の他の情報処理装置への、前記通信設定情報の提供の可否を示す情報を含む
ことを特徴とする情報処理方法。
【請求項１７】
情報処理装置用のプログラムであって、
第１の他の情報処理装置に、通信を確立するための通信設定情報を提供する提供ステップと、
前記第１の他の情報処理装置との通信を制御する通信制御ステップと
を含み、
前記通信設定情報は、前記通信設定情報を取得した前記第１の他の情報処理装置の、前記通信設定情報の保持の可否を示す情報を含み、かつ、前記通信設定情報を取得した前記第１の他の情報処理装置の、前記第１の他の情報処理装置とは異なる第２の他の情報処理装置への、前記通信設定情報の提供の可否を示す情報を含む
ことを特徴とするコンピュータが読み取り可能なプログラムが記録されている記録媒体。
【請求項１８】
情報処理装置を制御するコンピュータに、
第１の他の情報処理装置に、通信を確立するための通信設定情報を提供する提供ステップと、
前記第１の他の情報処理装置との通信を制御する通信制御ステップと
を実行させ、
前記通信設定情報は、前記通信設定情報を取得した前記第１の他の情報処理装置の、前記通信設定情報の保持の可否を示す情報を含み、かつ、前記通信設定情報を取得した前記第１の他の情報処理装置の、前記第１の他の情報処理装置とは異なる第２の他の情報処理装置への、前記通信設定情報の提供の可否を示す情報を含む
ことを特徴とするプログラム。
【請求項１９】
第１の他の情報処理装置より、通信を確立するための通信設定情報を取得する取得手段と、
前記取得手段により取得された前記通信設定情報に基づいて、前記第１の他の情報処理装置と通信する第１の通信手段と
を備える情報処理装置であって、
前記通信設定情報は、前記通信設定情報を取得した当該情報処理装置の、前記通信設定情報の保持の可否を示す情報を含み、かつ、前記通信設定情報を取得した当該情報処理装置の、前記第１の他の情報処理装置とは異なる第２の他の情報処理装置への、前記通信設定情報の提供の可否を示す情報を含む
ことを特徴とする情報処理装置。
【請求項２０】
前記第１の通信手段は、無線により前記第１の他の情報処理装置と通信する
ことを特徴とする請求項１９に記載の情報処理装置。
【請求項２１】
前記取得手段は、前記第１の他の情報処理装置により、前記通信設定情報が記録された記録媒体より、前記通信設定情報を読み出す読み出し手段を備える
ことを特徴とする請求項１９に記載の情報処理装置。
【請求項２２】
前記記録媒体は、携帯可能なカードである
ことを特徴とする請求項２１に記載の情報処理装置。
【請求項２３】
前記読み出し手段は、非接触通信により、前記記録媒体に記録された前記通信設定情報を読み出す
ことを特徴とする請求項２１に記載の情報処理装置。
【請求項２４】
前記読み出し手段は、接触通信により、前記記録媒体に記録された前記通信設定情報を読み出す
ことを特徴とする請求項２１に記載の情報処理装置。
【請求項２５】
前記取得手段により取得された前記通信設定情報を記憶する記憶手段をさらに備える
ことを特徴とする請求項１９に記載の情報処理装置。
【請求項２６】
前記通信設定情報を取得した前記情報処理装置の、前記通信設定情報の保持の可否を示す前記情報が、前記通信設定情報の保持の不許可を示していた場合、前記通信設定情報を、前記記憶手段から消去するように制御する制御手段をさらに備える
ことを特徴とする請求項２５に記載の情報処理装置。
【請求項２７】
前記通信設定情報は、前記通信設定情報を取得した前記情報処理装置に、前記通信設定情報の保持を許可する期間を限定する情報有効期間の情報を含み、
前記情報有効期間が経過した場合、前記通信設定情報を、前記記憶手段から消去するように制御する制御手段をさらに備える
ことを特徴とする請求項２５に記載の情報処理装置。
【請求項２８】
前記記憶手段により記憶された前記通信設定情報を、記録媒体に記録する記録手段をさらに備え、
前記記録手段により前記記録媒体に記録された前記通信設定情報は、前記第１の他の情報処理装置とは異なる第２の他の情報処理装置により読みだされる
ことを特徴とする請求項２５に記載の情報処理装置。
【請求項２９】
前記通信設定情報を取得した前記情報処理装置の、前記第１の他の情報処理装置とは異なる第２の他の情報処理装置への、前記通信設定情報の提供の可否を示す前記情報が、前記通信設定情報の提供の不許可を示していた場合、前記記録手段が、前記通信設定情報を前記記録媒体に記録しないように制御する制御手段をさらに備える
ことを特徴とする請求項２８に記載の情報処理装置。
【請求項３０】
前記通信設定情報は、前記通信設定情報を取得した前記情報処理装置に、前記通信を許可する期間を限定する通信有効期間の情報を含み、
前記通信有効期間が経過した場合、前記第１の通信手段が前記第１の他の情報処理装置と通信しないように制御する制御手段をさらに備える
ことを特徴とする請求項１９に記載の情報処理装置。
【請求項３１】
前記通信設定情報は、前記通信設定情報を取得した前記情報処理装置が、前記第１の他の情報処理装置を介して、前記第１の他の情報処理装置とは異なる第２の他の情報処理装置と通信を行うための、前記第２の情報処理装置のIPアドレスを含む
ことを特徴とする請求項１９に記載の情報処理装置。
【請求項３２】
前記取得手段は、前記第１の他の情報処理装置との間で、非接触の無線通信を行う第２の通信手段を備え、
前記第２の通信手段は、前記非接触の無線通信により、前記通信設定情報を前記第１の他の情報処理装置から取得する
ことを特徴とする請求項１９に記載の情報処理装置。
【請求項３３】
前記取得手段は、前記第１の他の情報処理装置との間で、赤外線通信を行う第２の通信手段を備え、
前記第２の通信手段は、前記赤外線通信により、前記通信設定情報を前記第１の他の情報処理装置から取得する
ことを特徴とする請求項１９に記載の情報処理装置。
【請求項３４】
情報処理装置の情報処理方法において、
第１の他の情報処理装置より、通信を確立するための通信設定情報を取得する取得ステップと、
前記取得ステップの処理により取得された前記通信設定情報に基づいて、前記第１の他の情報処理装置と通信する通信ステップと
を含み、
前記通信設定情報は、前記通信設定情報を取得した前記情報処理装置の、前記通信設定情報の保持の可否を示す情報を含み、かつ、前記通信設定情報を取得した前記情報処理装置の、前記第１の他の情報処理装置とは異なる第２の他の情報処理装置への、前記通信設定情報の提供の可否を示す情報を含む
ことを特徴とする情報処理方法。
【請求項３５】
情報処理装置用のプログラムであって、
第１の他の情報処理装置より、通信を確立するための通信設定情報を取得する取得ステップと、
前記取得ステップの処理により取得された前記通信設定情報に基づいた、前記第１の他の情報処理装置との通信を制御する通信制御ステップと
を含み、
前記通信設定情報は、前記通信設定情報を取得した前記情報処理装置の、前記通信設定情報の保持の可否を示す情報を含み、かつ、前記通信設定情報を取得した前記情報処理装置の、前記第１の他の情報処理装置とは異なる第２の他の情報処理装置への、前記通信設定情報の提供の可否を示す情報を含む
ことを特徴とするコンピュータが読み取り可能なプログラムが記録されている記録媒体。
【請求項３６】
情報処理装置を制御するコンピュータに、
第１の他の情報処理装置より、通信を確立するための通信設定情報を取得する取得ステップと、
前記取得ステップの処理により取得された前記通信設定情報に基づいた、前記第１の他の情報処理装置との通信を制御する通信制御ステップと
を実行させ、
前記通信設定情報は、前記通信設定情報を取得した前記情報処理装置の、前記通信設定情報の保持の可否を示す情報を含み、かつ、前記通信設定情報を取得した前記情報処理装置の、前記第１の他の情報処理装置とは異なる第２の他の情報処理装置への、前記通信設定情報の提供の可否を示す情報を含む
ことを特徴とするプログラム。
【手続補正２】
【補正対象書類名】明細書
【補正対象項目名】００１１
【補正方法】変更
【補正の内容】
【００１１】
【課題を解決するための手段】
本発明の通信システムは、第１の情報処理装置は、第２の情報処理装置に、通信を確立するための通信設定情報を提供する提供手段と、第２の情報処理装置と通信する第１の通信手段と備え、第２の情報処理装置は、第１の情報処理装置より、通信設定情報を取得する取得手段と、取得手段により取得された通信設定情報に基づいて、第１の情報処理装置と通信する第２の通信手段とを備え、通信設定情報は、通信設定情報を取得した第２の情報処理装置の、通信設定情報の保持の可否を示す情報を含み、かつ、通信設定情報を取得した第２の情報処理装置の、第２の情報処理装置とは異なる第３の情報処理装置への、通信設定情報の提供の可否を示す情報を含むことを特徴とする。


【手続補正３】
【補正対象書類名】明細書
【補正対象項目名】００１２
【補正方法】変更
【補正の内容】
【００１２】
本発明の第１の情報処理装置は、第１の他の情報処理装置に、通信を確立するための通信設定情報を提供する提供手段と、第１の他の情報処理装置と通信する第１の通信手段とを備え、通信設定情報は、通信設定情報を取得した第１の他の情報処理装置の、通信設定情報の保持の可否を示す情報を含み、かつ、通信設定情報を取得した第１の他の情報処理装置の、第１の他の情報処理装置とは異なる第２の他の情報処理装置への、通信設定情報の提供の可否を示す情報を含むことを特徴とする。


【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２８
【補正方法】変更
【補正の内容】
【００２８】
本発明の第１の情報処理方法は、第１の他の情報処理装置に、通信を確立するための通信設定情報を提供する提供ステップと、第１の他の情報処理装置と通信する通信ステップとを含み、通信設定情報は、通信設定情報を取得した第１の他の情報処理装置の、通信設定情報の保持の可否を示す情報を含み、かつ、通信設定情報を取得した第１の他の情報処理装置の、第１の他の情報処理装置とは異なる第２の他の情報処理装置への、通信設定情報の提供の可否を示す情報を含むことを特徴とする。


【手続補正７】
【補正対象書類名】明細書
【補正対象項目名】００２９
【補正方法】変更
【補正の内容】
【００２９】
本発明の第１の記録媒体のプログラムは、第１の他の情報処理装置に、通信を確立するための通信設定情報を提供する提供ステップと、第１の他の情報処理装置との通信を制御する通信制御ステップとを含み、通信設定情報は、通信設定情報を取得した第１の他の情報処理装置の、通信設定情報の保持の可否を示す情報を含み、かつ、通信設定情報を取得した第１の他の情報処理装置の、第１の他の情報処理装置とは異なる第２の他の情報処理装置への、通信設定情報の提供の可否を示す情報を含むことを特徴とする。


【手続補正８】
【補正対象書類名】明細書
【補正対象項目名】００３０
【補正方法】変更
【補正の内容】
【００３０】
本発明の第１のプログラムは、情報処理装置を制御するコンピュータに、第１の他の情報処理装置に、通信を確立するための通信設定情報を提供する提供ステップと、第１の他の情報処理装置との通信を制御する通信制御ステップとを実行させ、通信設定情報は、通信設定情報を取得した第１の他の情報処理装置の、通信設定情報の保持の可否を示す情報を含み、かつ、通信設定情報を取得した第１の他の情報処理装置の、第１の他の情報処理装置とは異なる第２の他の情報処理装置への、通信設定情報の提供の可否を示す情報を含むことを特徴とする。
【手続補正９】
【補正対象書類名】明細書
【補正対象項目名】００３１
【補正方法】変更
【補正の内容】
【００３１】
本発明の第２の情報処理装置は、第１の他の情報処理装置より、通信を確立するための通信設定情報を取得する取得手段と、取得手段により取得された前記通信設定情報に基づいて、第１の他の情報処理装置と通信する第１の通信手段とを備える情報処理装置であって、通信設定情報は、通信設定情報を取得した情報処理装置の、通信設定情報の保持の可否を示す情報を含み、かつ、通信設定情報を取得した情報処理装置の、第１の他の情報処理装置とは異なる第２の他の情報処理装置への、通信設定情報の提供の可否を示す情報を含むことを特徴とする。


【手続補正１０】
【補正対象書類名】明細書
【補正対象項目名】００３８
【補正方法】変更
【補正の内容】
【００３８】
前記通信設定情報を取得した前記情報処理装置の、前記通信設定情報の保持の可否を示す前記情報が、前記通信設定情報の保持の不許可を示していた場合、前記通信設定情報を、前記記憶手段から消去するように制御する制御手段をさらに設けるようにすることができる。


【手続補正１１】
【補正対象書類名】明細書
【補正対象項目名】００４１
【補正方法】変更
【補正の内容】
【００４１】
前記通信設定情報を取得した前記情報処理装置の、前記第１の他の情報処理装置とは異なる第２の他の情報処理装置への、前記通信設定情報の提供の可否を示す前記情報が、前記通信設定情報の提供の不許可を示していた場合、前記記録手段が、前記通信設定情報を前記記録媒体に記録しないように制御する制御手段をさらに設けるようにすることができる。


【手続補正１２】
【補正対象書類名】明細書
【補正対象項目名】００４６
【補正方法】変更
【補正の内容】
【００４６】
本発明の第２の情報処理方法は、第１の他の情報処理装置より、通信を確立するための通信設定情報を取得する取得ステップと、取得ステップの処理により取得された通信設定情報に基づいて、第１の他の情報処理装置と通信する通信ステップとを含み、通信設定情報は、通信設定情報を取得した情報処理装置の、通信設定情報の保持の可否を示す情報を含み、かつ、通信設定情報を取得した情報処理装置の、第１の他の情報処理装置とは異なる第２の他の情報処理装置への、通信設定情報の提供の可否を示す情報を含むことを特徴とする。


【手続補正１３】
【補正対象書類名】明細書
【補正対象項目名】００４７
【補正方法】変更
【補正の内容】
【００４７】
本発明の第２の記録媒体のプログラムは、第１の他の情報処理装置より、通信を確立するための通信設定情報を取得する取得ステップと、取得ステップの処理により取得された通信設定情報に基づいた、第１の他の情報処理装置との通信を制御する通信制御ステップとを含み、通信設定情報は、通信設定情報を取得した情報処理装置の、通信設定情報の保持の可否を示す情報を含み、かつ、通信設定情報を取得した情報処理装置の、第１の他の情報処理装置とは異なる第２の他の情報処理装置への、通信設定情報の提供の可否を示す情報を含むことを特徴とする。


【手続補正１４】
【補正対象書類名】明細書
【補正対象項目名】００４８
【補正方法】変更
【補正の内容】
【００４８】
本発明の第２のプログラムは、情報処理装置を制御するコンピュータに、第１の他の情報処理装置より、通信を確立するための通信設定情報を取得する取得ステップと、取得ステップの処理により取得された通信設定情報に基づいた、第１の他の情報処理装置との通信を制御する通信制御ステップとを実行させ、通信設定情報は、通信設定情報を取得した情報処理装置の、通信設定情報の保持の可否を示す情報を含み、かつ、通信設定情報を取得した情報処理装置の、第１の他の情報処理装置とは異なる第２の他の情報処理装置への、通信設定情報の提供の可否を示す情報を含むことを特徴とする。
【手続補正１５】
【補正対象書類名】明細書
【補正対象項目名】００４９
【補正方法】変更
【補正の内容】
【００４９】
本発明の通信システムにおいては、第１の情報処理装置では、第２の情報処理装置に、通信設定情報が提供され、第２の情報処理装置と通信が行われる。また、第２の情報処理装置では、第１の情報処理装置より、通信設定情報が取得され、取得された通信設定情報に基づいて、第１の情報処理装置と通信が行われる。さらに、通信設定情報には、通信設定情報を取得した第２の情報処理装置の、通信設定情報の保持の可否を示す情報が含まれ、かつ、通信設定情報を取得した第２の情報処理装置の、第２の情報処理装置とは異なる第３の情報処理装置への、通信設定情報の提供の可否を示す情報が含まれる。
【手続補正１６】
【補正対象書類名】明細書
【補正対象項目名】００５０
【補正方法】変更
【補正の内容】
【００５０】
本発明の第１の情報処理装置および方法、記録媒体、並びにプログラムにおいては、第１の他の情報処理装置に、通信を確立するための通信設定情報が提供され、第１の他の情報処理装置との通信が実行される。また、通信設定情報には、通信設定情報を取得した第１の他の情報処理装置の、通信設定情報の保持の可否を示す情報が含まれ、かつ、通信設定情報を取得した第１の他の情報処理装置の、第１の他の情報処理装置とは異なる第２の他の情報処理装置への、通信設定情報の提供の可否を示す情報が含まれる。
【手続補正１７】
【補正対象書類名】明細書
【補正対象項目名】００５１
【補正方法】変更
【補正の内容】
【００５１】
本発明の第２の情報処理装置および方法、記録媒体、並びにプログラムにおいては、第１の他の情報処理装置より、通信を確立するための通信設定情報が取得され、通信設定情報に基づいて、第１の他の情報処理装置との通信が実行される。また、通信設定情報には、通信設定情報を取得した情報処理装置の、通信設定情報の保持の可否を示す情報が含まれ、かつ、通信設定情報を取得した情報処理装置の、第１の他の情報処理装置とは異なる第２の他の情報処理装置への、通信設定情報の提供の可否を示す情報が含まれる。